(57)【要約】【課題】遊技メダルの投入に係る機構を改善する事により操作性を向上させる。【解決手段】メダル払出し受け皿６に貯留された遊技メダルを揃え直す事無くわしづかみのまま大口径を成して前面ドアの外側に露呈した遊技メダル投入部１に投入する。遊技メダル投入部１の内側底部はメダルが１枚ずつ通ることが出来る出口に向かって傾斜しており投入された複数枚のメダルはその傾斜により出口へすべり落ちることにより順次遊技機内部へ取り込まれる。遊技機内部に取り込まれた遊技メダルはその先に同様に傾斜して連接されたメダル検出機構２の内部を通過することにより従来同様に遊技メダル検出機構２の有する遊技メダルの良否をセンサー及び機構により判別し、その判別によりメダル払出し装置への経路３を介してメダル払出し装置５へ、またはメダル払出し受け皿への経路４を介してメダル払出し受け皿６へと振り分けられる。【選択図】  図１
2005270189.tif 000002
【特許請求の範囲】
【請求項１】
遊技メダルの投入により遊技を行うことが出来る回胴式遊技機において、前面ドアの外側に露呈した複数枚の遊技メダルを一度に投入出来る貯留機能を有しかつその内側底部が傾斜して遊技メダルが１枚ずつ通ることが出来る出口へ通じる構造を有する遊技メダル投入部、遊技機内部に遊技メダル投入部の出口に同様に傾斜して連接される遊技メダル検出機構、遊技メダル検出機構の出口からメダル払出し装置及びメダル払出し受け皿へ至る経路を備える構造を有する事を特徴とする回胴式遊技機。
【請求項２】
前面ドアの外側に露呈した複数枚の遊技メダルを一度に投入出来る貯留機能を有する遊技メダル投入部において傾斜して遊技メダルが１枚ずつ通ることが出来る出口へ通じる内側底部面上に出口に向かって突起した筋を設けた事を特徴とする請求項１に記載の回胴式遊技機。
【請求項３】
前面ドアの外側に露呈した複数枚の遊技メダルを一度に投入出来る貯留機能を有する遊技メダル投入部において遊技メダル投入部へ遊技メダルを投入されたことを検知する検知部、及び検知部により遊技メダルを投入されたことを検知した場合に動作される振動発生装置を設けた事を特徴とする請求項１に記載の回胴式遊技機。
【発明の詳細な説明】
【技術分野】
【０００１】
本発明は回胴式遊技機に関し、遊技メダルの投入に係る機構を改善する事による操作性の向上に関するものである。
【背景技術】
【０００２】
特許文献１の図３によれば前面ドアの外側に露呈した開口部から数１０枚以上の遊技メダルを同時投入できる遊技メダル投入部１と前記遊技メダル投入部１内の遊技メダルを１枚ずつ払い出すメダル取出機構部８と前記メダル取出機構部８から払い出された遊技メダルをメダル払出し装置及びメダル払出し受け皿に導くメダル供給シュータ９と前記メダル払出し装置及びメダル払出し受け皿に投入される遊技メダルを検出して個数を計数するメダル検出機構２とを備えていることにより遊技者にとって遊技メダルの投入の容易さに対し有益なことが公知例として知られている。
【特許文献１】特開２００３−２４５１１号公報
【発明の開示】
【発明が解決しようとする課題】
【０００３】
ところがこの特許文献１は、数１０枚以上の遊技メダルを同時投入できる遊技メダル投入部１より遊技メダルを遊技機内部へ取り込むために従来は不要であったメダル取出機構部８を新たに設けたことによる製造原価の上昇、及び部品数の増加による信頼性の低下を招いてしまう。
【０００４】
更に遊技メダルを投入する遊技メダル投入部１の下に連接してメダル取出機構部８、以降遊技機内部へ取り込む遊技メダル通路の構造において遊技メダル投入部１とメダル取出機構部８が縦方向に連接する事による高さ寸法の増加に伴い結果的に遊技者が遊技メダルを投入する遊技メダル投入部１の高さ位置が従来と同等か高くなることになる。
【０００５】
従って図２のように、従来に見かける遊技機の遊技メダル投入部１からメダル払出し装置５及びメダル払出し受け皿６へ至る経路の構造を例にして、遊技者が遊技機最下部のメダル払出し受け皿６に貯留された遊技メダルを手に取って上位部の遊技メダル投入部１へ投入する行為に対し、メダル払出し受け皿６と遊技メダル投入部１の距離が近く、また遊技メダル投入部１の高さが低いほうが遊技者にとって楽であるので高さ位置が従来と同等か高くなることは相反することとなる。
【０００６】
また図２のように、従来に見かける遊技機の遊技メダル投入部１からメダル払出し装置５及びメダル払出し受け皿６へ至る経路の構造においては、遊技メダル投入部１から遊技メダル検出機構２が縦方向に連接しており、そのために遊技メダル投入部１の高さを低く抑えることが難しくなっていてかつ、複数枚の遊技メダルを一度に投入出来る遊技メダル投入部１を有してはいない。
【課題を解決するための手段】
【０００７】
本発明は上記の課題を解決すべく新規部品の増加を抑え、かつ遊技者が遊技メダルを投入する遊技メダル投入口の高さ位置を下げることが可能な複数枚の遊技メダルを一度に投入出来る貯留機能を有する遊技機の遊技メダル投入機構の提供にある。
【０００８】
遊技者はメダル払出し受け皿に貯留された遊技メダルを従来は揃える必要があったものをわしづかみのまま遊技メダル投入部へ投入出来るよう遊技メダル投入部は大口径になっている。さらに遊技メダル投入部は従来よりも低い位置に設置されるため遊技メダルをつかんでから投入するまでの距離を短く出来るので投入が楽になることとなる。その遊技メダル投入部の内側底部は遊技メダルが１枚ずつ通ることが出来る出口に向かって傾斜しており投入された複数枚の遊技メダルはその傾斜により出口へすべり落ちることにより順次遊技機内部へ取り込まれる。遊技機内部に取り込まれた遊技メダルはその先に同様に傾斜して連接された遊技メダル検出機構の内部を通過し以降は従来と同様に遊技メダルの良否をセンサー及び機構により判別した上でメダル払出し装置及びメダル払出し受け皿へと振り分けられることになる。遊技メダル投入部の出口に遊技メダル検出機構が傾斜して連接されることにより従来のほぼ垂直に連接された構造では成し得ない高さ方向の必要寸法の縮小が出来、よって遊技メダル投入部の高さを下げることが出来る。
【０００９】
また遊技メダル投入部へ投入された複数枚の遊技メダルはその遊技メダル投入部の内側底部の傾斜により出口へすべり落ちることにより順次遊技機内部へ取り込まれるわけだが複数枚の遊技メダルが重なって遊技メダル投入部内に滞留してしまうことが想定されるため遊技者が遊技メダル投入部内側を手で攪拌することにより解消させる手間が起こりえる。そこで遊技メダル投入部へ振動を伝達する事が可能な位置に振動発生装置を設ける事によりその振動により遊技者が手で攪拌することの代わりをさせることが出来る。さらに振動発生装置は遊技メダル投入部へ遊技メダルを投入されたことを検知する検知部に基づき制御され不要な時の動作を停止させることが出来る。
【００１０】
さらに遊技メダル投入部へ投入された複数枚の遊技メダルがその遊技メダル投入部内側底部の傾斜により出口へすべり落ちやすくするためにその傾斜表面にいく本かの突起した筋を出口に向かって形成することにより遊技メダルとの接触面積を減らす構造をとる。
【発明の効果】
【００１１】
以上のように遊技者はメダル払出し受け皿に貯留された遊技メダルを従来は揃える必要があったものをわしづかみのまま遊技メダル投入部へ投入出来るようになりさらに遊技メダル投入部は従来よりも低い位置に設置されるため遊技メダルをつかんでから投入するまでの距離を短く出来るので投入が楽になることとなり、かつ新規部品の増加を抑え製造原価の上昇、及び部品数の増加による信頼性の低下を招かないようにすることが出来る。
【発明を実施するための最良の形態】
【００１２】
以下、本発明の一実施形態について図面を参照しながら説明する。図１は本発明の一実施形態に係る全体構造の斜視図を示す。
遊技者は、メダル払出し受け皿６に貯留された遊技メダルを揃え直す事無くわしづかみのまま大口径を成して前面ドアの外側に露呈した遊技メダル投入部１に投入する。遊技メダル投入部１の内側底部はメダルが１枚ずつ通ることが出来る出口に向かって傾斜しており投入された複数枚のメダルはその傾斜により出口へすべり落ちることにより順次遊技機内部へ取り込まれる。遊技機内部に取り込まれた遊技メダルはその先に同様に傾斜して連接されたメダル検出機構２の内部を通過することにより従来同様に遊技メダル検出機構２の有する遊技メダルの良否をセンサー及び機構により判別し、その判別によりメダル払出し装置への経路３を介してメダル払出し装置５へ、またはメダル払出し受け皿への経路４を介してメダル払出し受け皿６へと振り分けられる。
【００１３】
図４は、遊技メダル投入部の拡大斜視図を示す。遊技メダルは遊技メダル投入部１に投入されるとこの内側底部に乗るが底部が遊技メダル投入部出口１０に向かって傾斜しているので遊技メダルは遊技メダル投入部出口１０へすべり落ちることとなるがさらにこの底部面には遊技メダル投入部内側底部の突起筋１１が設けられているので遊技メダルとの接触面積が小さくなり摩擦係数が下がることによりより容易にすべり落ちることが出来る。
【００１４】
遊技メダル投入センサ１３は遊技メダルが遊技メダル投入部１へ投入されたことを検知するものでありリミットスイッチや圧力スイッチ、ストレインゲージのような接触式からフォトカプラのような非接触式による方式により遊技メダル投入部１の内側に貯留した遊技メダルを検知するよう設けられる。遊技メダル投入センサ１３による投入の検知を得てから検知がなくなって任意時間後までの間、遊技メダル投入部１の内側底部面裏に設けられた遊技メダル投入部内側底部振動装置１２を動作させることにより複数枚の遊技メダルが重なって遊技メダル投入部内に滞留してしまっても振動により遊技メダルの重なり合いを崩し滞留を解消することが出来る。遊技メダル投入部内側底部振動装置１２は、携帯電話のバイブレータに見られるようなおもりが偏芯して軸に設けられたモータにより成し得、これを遊技メダル投入部１の内側底部の裏側に設置してこの回転により振動を遊技メダル投入部１の内側底部へ伝える。
【図面の簡単な説明】
【００１５】
【図１】本発明の一実施形態に係る全体構造の斜視図
【図２】従来の一実施形態に係る正面図
【図３】特許文献１の一実施形態に係る正面図
【図４】遊技メダル投入部の拡大斜視図
【符号の説明】
【００１６】
１  遊技メダル投入部
２  遊技メダル検出機構
３  メダル払出し装置への経路
４  メダル払出し受け皿への経路
５  メダル払出し装置
６  メダル払出し受け皿
７  筐体外形空想線
８  メダル取出機構部
９  メダル供給シュータ
１０  遊技メダル投入部出口
１１  遊技メダル投入部内側底部の突起筋
１２  遊技メダル投入部内側底部振動装置
１３  遊技メダル投入センサ
【図１】
2005270189.tif 000003
【図２】
2005270189.tif 000004
【図３】
2005270189.tif 000005
【図４】
2005270189.tif 000006